(57)【要約】【課題】  各発電機から排出される所定のガスの排出量をリアルタイムに監視できるようにすること。【解決手段】  発電機出力入力部２１，２２，…，２ｎは、電力系統１０から信号線を通じて供給される各発電機の出力値をリアルタイムに取り込む。ＣＯ２排出量計算部３１，３２，…，３ｎは、取り込まれた各発電機の出力値から、発電機設備データ記憶部１１に記憶されている各発電機の発熱量特性の情報を用いて、各発電機の発熱量を算出し、各発電機の出力値と発熱量とから、各発電機の熱消費率を算出し、各発電機の熱消費率と原単位データ記憶部１２に記憶されている各発電機のＣＯ２排出単位の情報とから、各発電機から排出されるＣＯ２排出量を算出する。ＣＯ２排出量出力制御部４０は、各発電機のＣＯ２排出量を含む情報を需給運用監視画面生成部５０を通じて表示装置に表示させる。【選択図】図１
2010211397.tif 000002
【特許請求の範囲】
【請求項１】
複数の発電機を含む電力系統の監視を行う情報処理装置であって、
各発電機の出力値と発熱量との関係を示す発熱量特性の情報を記憶する第１の記憶手段と、
各発電機から排出される所定のガスのガス排出量原単位の情報を記憶する第２の記憶手段と、
各発電機の出力値をリアルタイムに取り込む入力手段と、
前記入力手段により取り込まれた各発電機の出力値から、前記第１の記憶手段に記憶されている各発電機の発熱量特性の情報を用いて、各発電機の発熱量を算出する第１の算出手段と、前記前記入力手段により取り込まれた各発電機の出力値と、前記第１の算出手段により算出された各発電機の発熱量とから、各発電機の熱消費率を算出する第２の算出手段と、前記第２の算出手段により算出された各発電機の熱消費率と、前記第２の記憶手段に記憶されている各発電機のガス排出量原単位の情報とから、各発電機から排出される前記所定のガスのガス排出量を算出する第３の算出手段とを含む計算手段と、
前記計算手段により算出された各発電機のガス排出量を含む情報を、記憶媒体に記憶させると共に表示装置に表示させる出力制御手段と
を具備することを特徴とする情報処理装置。
【請求項２】
前記出力制御手段は、前記記憶媒体に記憶された過去の一定期間の各発電機のガス排出量を含む情報を表示装置に表示させる手段を具備することを特徴とする請求項１に記載の情報処理装置。
【請求項３】
各発電機の出力値が時間的に変化する運転スケジュールの情報を記憶する第３の記憶手段を更に具備し、
前記計算手段は、前記第３の記憶手段に記憶されている運転スケジュール上の時間的に変化する各発電機の出力値に基づき、未来の一定期間において各発電機から排出される前記所定のガスのガス排出量を算出し、
前記出力制御手段は、前記未来の一定期間において各発電機から排出される前記所定のガスのガス排出量を含む情報を表示装置に表示させることを特徴とする請求項１又は２に記載の情報処理装置。
【請求項４】
前記第３の算出手段は、前記第２の記憶手段に記憶されている各発電機のガス排出量原単位に対し、重み係数を乗じた上で、各発電機の熱消費率との乗算を行うことにより、各発電機から排出される前記所定のガスのガス排出量を算出することを特徴とする請求項１乃至３のいずれか１項に記載の情報処理装置。
【請求項５】
前記所定のガスは、二酸化炭素であることを特徴とする請求項１乃至４のいずれか１項に記載の情報処理装置。
【請求項６】
複数の発電機を含む電力系統の監視を行うコンピュータに、
各発電機の出力値と発熱量との関係を示す発熱量特性の情報を第１の記憶手段に記憶させる機能と、
各発電機から排出される所定のガスのガス排出量原単位の情報を第２の記憶手段に記憶させる機能と、
各発電機の出力値をリアルタイムに取り込む入力機能と、
前記入力機能により取り込まれた各発電機の出力値から、前記第１の記憶手段に記憶されている各発電機の発熱量特性の情報を用いて、各発電機の発熱量を算出する第１の算出機能と、前記前記入力機能により取り込まれた各発電機の出力値と、前記第１の算出機能により算出された各発電機の発熱量とから、各発電機の熱消費率を算出する第２の算出機能と、前記第２の算出機能により算出された各発電機の熱消費率と、前記第２の記憶手段に記憶されている各発電機のガス排出量原単位の情報とから、各発電機から排出される前記所定のガスのガス排出量を算出する第３の算出機能とを含む計算機能と、
前記計算機能により算出された各発電機のガス排出量を含む情報を、記憶媒体に記憶させると共に表示装置に表示させる出力制御機能と
をコンピュータに実現させることを特徴とするプログラム。
【請求項７】
請求項６に記載のプログラムを記録したことを特徴とする、コンピュータによる読み取りが可能な記憶媒体。
【発明の詳細な説明】
【技術分野】
【０００１】
本発明は、複数の発電機を含む電力系統の監視を行う情報処理装置、当該監視を行うコンピュータに適用されるプログラム、および当該プログラムを記録した記憶媒体に関する。
【背景技術】
【０００２】
電力の需要やそれに伴う電力系統の負荷は、季節的・時間的・瞬間的に時々刻々と絶えず変動している。そのため、電力会社等においては、中央給電指令所が、当日の予想気温などの気象情報により前日の予想需要を見直して供給力の過不足の検討を行い、必要な場合、揚水発電機や火力発電機の並列台数の変更など運転スケジュールの修正を行った上で、時々刻々と変わる需用を監視しながら、各発電機の出力量を制御している。高品質の電力を安定して供給するため、一般に、階層化された電力系統監視制御システムの最上位システムとして、電力の安定供給と経済運用を支援する豊富な電力需給運用監視機能が備えられる。
【０００３】
電力需給運用監視機能には、代表的なものとして、以下に示すような機能がある。
【０００４】
需要予測：
過去の需要実績に気象条件を加味し、正確な需要予測を行う機能
発電計画：
予測された需要に対して最も経済的な発電機出力値を決定し、発電機に指令する機能
発電機制御：
自動周波数制御により、周波数偏差の少ない安定した電力を供給する機能
電圧セキュリティ監視：
電圧の不安定性を事前に察知し、電力系統の安定運用に寄与する機能
信頼度監視：
電力系統の信頼度監視をリアルタイムで行う機能
系統監視：
豊富な系統解析計算機能により、適切な系統運用のための情報を運用者に提供する機能（例えば事故発生時において迅速に復旧操作が実行できようにする機能）
また、電力系統を監視する機能として、特許文献１や特許文献２に記載されたものがある。
【先行技術文献】
【特許文献】
【０００５】
【特許文献１】特開平１１−３０８７７２号公報
【特許文献２】特許第３４３６４４５号公報
【発明の概要】
【発明が解決しようとする課題】
【０００６】
しかしながら、既存のシステムは、電力系統の安定化のためにリアルタイムな情報を基に電力系統の監視を行っているものの、電力系統において並列されている各発電機から排出される温暖化ガスなどの環境にダメージを与えるガス、例えば、二酸化炭素（以下、ＣＯ２）の監視、ならびにＣＯ２の排出量を考慮した需給を運用するための機能は実装されていない。現状では、発電機の実測値を基に、月間や年間など長いスパンでのＣＯ２排出量の算出が行われており、リアルタイムでのＣＯ２排出量の監視などは行われていない。
【０００７】
このように、中央給電指令所では、時々刻々と変動する需要に合わせて発電機の出力を調整し、電力の安定供給と経済運用を行っているが、各発電機から排出されるＣＯ２の排出量の監視や、それらを考慮した需給運用などは行っていない。そのため、運用者はリアルタイムに各発電機のＣＯ２の排出量を把握することができない。その結果、ＣＯ２の排出量に応じて発電機をどのように運用すればよいのかが分からないことになる。
【０００８】
本発明は上記事情に鑑みてなされたものであり、各発電機から排出される所定のガスの排出量をリアルタイムに監視できるようにする情報処理装置、プログラム、および記憶媒体を提供することを目的とする。
【課題を解決するための手段】
【０００９】
本発明の一態様による情報処理装置は、複数の発電機を含む電力系統の監視を行う情報処理装置であって、各発電機の出力値と発熱量との関係を示す発熱量特性の情報を記憶する第１の記憶手段と、各発電機から排出される所定のガスのガス排出量原単位の情報を記憶する第２の記憶手段と、各発電機の出力値をリアルタイムに取り込む入力手段と、前記入力手段により取り込まれた各発電機の出力値から、前記第１の記憶手段に記憶されている各発電機の発熱量特性の情報を用いて、各発電機の発熱量を算出する第１の算出手段と、前記前記入力手段により取り込まれた各発電機の出力値と、前記第１の算出手段により算出された各発電機の発熱量とから、各発電機の熱消費率を算出する第２の算出手段と、前記第２の算出手段により算出された各発電機の熱消費率と、前記第２の記憶手段に記憶されている各発電機のガス排出量原単位の情報とから、各発電機から排出される前記所定のガスのガス排出量を算出する第３の算出手段とを含む計算手段と、前記計算手段により算出された各発電機のガス排出量を含む情報を、記憶媒体に記憶させると共に表示装置に表示させる出力制御手段とを具備することを特徴とする。
【発明の効果】
【００１０】
各発電機から排出される所定のガスの排出量をリアルタイムに監視することが可能となる。
【図面の簡単な説明】
【００１１】
【図１】本発明の第１の実施形態に係る電力需給運用監視機能を実現するシステム構成の一例を示す図。
【図２】図１中に示される複数の発電機の種類の具体例を示す図。
【図３】図１中に示される情報処理装置の動作の一例を示すフローチャート。
【図４】同実施形態において、発電機毎に、発電機設備データおよび計算結果データを表形式で示す画面の一例を示す図。
【図５】同実施形態において、図４中の個々の「発電機名」を横軸にとり、「発電機出力」を縦軸にとった棒グラフによる画面の一例を示す図。
【図６】同実施形態において、図４中の個々の「発電機名」を横軸にとり、「ＣＯ２排出量」を縦軸にとった棒グラフによる画面の一例を示す図。
【図７】同実施形態において、発電機の燃料種別毎に、発電機設備データおよび計算結果データを表形式で示す画面の一例を示す図。
【図８】同実施形態において、図７中の個々の「燃料種別」を横軸にとり、「発電機出力」を縦軸にとった棒グラフによる画面の一例を示す図。
【図９】同実施形態において、図７中の個々の「燃料種別」を横軸にとり、「ＣＯ２排出量」を縦軸にとった棒グラフによる画面の一例を示す図。
【図１０】本発明の第２の実施形態において、発電機毎に、過去の一定期間のＣＯ２排出量を表形式で示す画面の一例を示す図。
【図１１】同実施形態において、発電機毎に、図１０中の「時間」を横軸にとり、「ＣＯ２排出量」を縦軸にとった棒グラフによる画面の一例を示す図。
【図１２】本発明の第３の実施形態において、発電機毎に、未来の一定期間のＣＯ２排出量を表形式で示す画面の一例を示す図。
【図１３】同実施形態において、発電機毎に、図１２中の「時間」を横軸にとり、「ＣＯ２排出量」を縦軸にとった棒グラフによる画面の一例を示す図。
【図１４】本発明の第４の実施形態において、発電機毎に、重み係数のデータを含む発電機設備データおよび計算結果データを表形式で示す画面の一例を示す図。
【図１５】同実施形態において、図１４中の個々の「発電機名」を横軸にとり、「ＣＯ２排出量」を縦軸にとった棒グラフによる画面の一例を示す図。
【図１６】同実施形態において、発電機毎に、重み係数のデータと共に過去の一定期間のＣＯ２排出量を表形式で示す画面の一例を示す図。
【図１７】同実施形態において、発電機毎に、図１６中の「時間」を横軸にとり、「ＣＯ２排出量」を縦軸にとった棒グラフによる画面の一例を示す図。
【発明を実施するための形態】
【００１２】
以下、図面を参照して、本発明の実施の形態について説明する。
【００１３】
（第１の実施形態）
最初に、本発明の第１の実施形態について説明する。
【００１４】
図１は、本発明の第１の実施形態に係る電力需給運用監視機能を実現するシステム構成の一例を示す図である。なお、この図１のシステム構成は、後述する第２乃至第４の実施形態にも適用されるものである。
【００１５】
電力系統１０は、複数の発電機１，２，…，ｎ（ｎは任意の整数）を含み、各発電機から出力される電力を需要先に供給するものである。この電力系統１０は、各発電機から出力される電力の値（出力値）を信号線を通じてリアルタイムに（例えば一定の時間間隔で）情報処理装置１００へ伝送する。なお、上記複数の発電機１，２，…，ｎは、例えば図２に示されるように、石炭、石油、ＬＮＧ（液化天然ガス）、揚水、水力、原子力、自然エネルギー、貯蔵電池など、様々なエネルギーを使用する各種の発電機にて構成される。
【００１６】
情報処理装置１００は、例えば中央給電指令所に設置され、ＭＭＩ（マン・マシン・インタフェース）１００ａを通じて複数の発電機１，２，…，ｎを含む電力系統１０の監視を行うコンピュータである。この情報処理装置１００は、階層化された電力系統監視制御システムを構成し、その最上位システムとして、電力の安定供給と経済運用を支援する電力需給運用監視機能を実現する。本実施形態では、当該電力需給運用監視機能において、各発電機から排出される所定のガス（例えばＣＯ２）の排出量をリアルタイムに監視できるようにする。
【００１７】
上記情報処理装置１００は、記憶媒体を用いて各種の情報を記憶する機能として、発電機設備データ記憶部１１、原単位データ記憶部１２、発電機運転スケジュールデータ記憶部１３、およびＣＯ２排出量データ記憶部１４を有する。また、情報処理装置１００は、各種の処理を実行する機能として、発電機出力入力部２１，２２，…，２ｎ、ＣＯ２排出量計算部３１，３２，…，３ｎ、ＣＯ２排出量出力制御部４０、および需給運用監視画面生成部５０を有する。
【００１８】
発電機設備データ記憶部１１は、各発電機の名称や型式、燃料種別、最小出力・最大出力などの各種データを記憶するほか、燃料種別毎に各発電機の出力値と発熱量との関係を示す発熱量特性の情報（発熱量特性を示す関数および当該関数に使用する係数の情報など）を記憶するものである。
【００１９】
原単位データ記憶部１２は、燃料種別毎に各発電機から排出される単位発熱量当りのＣＯ２排出量（以下、「ＣＯ２排出原単位」と称す）を記憶するものである。
【００２０】
発電機運転スケジュールデータ記憶部１３は、各発電機の出力値が時間的に変化する運転スケジュールの情報を記憶するものである。
【００２１】
ＣＯ２排出量データ記憶部１４は、ＣＯ２排出量出力制御部４０から出力される各発電機のＣＯ２排出量を含む情報を記憶するものである。
【００２２】
発電機出力入力部２１，２２，…，２ｎは、電力系統１０から信号線を通じて供給される各発電機の出力値をリアルタイムに（例えば一定の時間間隔で）取り込むものである。
【００２３】
ＣＯ２排出量計算部３１，３２，…，３ｎは、発電機出力入力部２１，２２，…，２ｎにより取り込まれた各発電機の出力値から、各種のデータ記憶部１１，１２，１３に記憶される情報を用いて、各発電機から排出されるＣＯ２の排出量を計算するものである。
【００２４】
当該ＣＯ２排出量計算部３１，３２，…，３ｎは、次のような第１乃至第３の算出機能を有する。
【００２５】
第１の算出機能は、発電機出力入力部２１，２２，…，２ｎにより取り込まれた各発電機の出力値から、発電機設備データ記憶部１１に記憶されている各発電機の発熱量特性の情報を用いて、各発電機の発熱量を算出するものである。
【００２６】
第２の算出機能は、発電機出力入力部２１，２２，…，２ｎにより取り込まれた各発電機の出力値と、上記第１の算出機能により算出された各発電機の発熱量とから、各発電機の単位出力当りの発熱量を示す熱消費率を算出するものである。
【００２７】
第３の算出機能は、上記第２の算出機能により算出された各発電機の熱消費率と、原単位データ記憶部１２に記憶されている各発電機のＣＯ２排出原単位の情報とから、各発電機から排出されるＣＯ２排出量を算出するものである。
【００２８】
ＣＯ２排出量出力制御部４０は、ＣＯ２排出量計算部３１，３２，…，３ｎにより算出された各発電機のＣＯ２排出量を含む情報を、ＣＯ２排出量データ記憶部１４を通じて記憶媒体に記憶させると共に、需給運用監視画面生成部５０を通じて当該情報処理装置１００に搭載された表示装置もしくは外付けの表示装置に表示させるものである。
【００２９】
需給運用監視画面生成部５０は、ＣＯ２排出量出力制御部４０の制御のもとで、各種のデータ記憶部１１乃至１４に記憶されている各発電機の発電機設備データ、ＣＯ２排出原単位データ、発電機運転スケジュールデータ、ＣＯ２排出量データなどの各種の情報を、個別に、もしくは複数個まとめて、表示装置に表示するものである。この需給運用監視画面生成部５０は、入力装置を通じて運用者が指定する各種の画面を表示装置に表示することができる。
【００３０】
次に、図３を参照して、図１中に示される情報処理装置１００の動作の一例について説明する。
【００３１】
先ず、発電機出力入力部２１，２２，…，２ｎは、電力系統１０から信号線を通じてリアルタイムに供給されてくる各発電機の出力値（以下、「現在出力Ｐ」と称す）を取り込む（ステップＳ１１）。
【００３２】
続いて、ＣＯ２排出量計算部３１，３２，…，３ｎは、発電機設備データ記憶部１１から、各発電機の燃料種別などを示す発電機情報と共に各発電機の発熱量特性を示す情報を読み込み、各発電機の燃料種別毎の発熱量特性に基づき、ステップＳ１１で取り込んだ各発電機の現在出力Ｐから、各発電機の現在出力時の発熱量（以下、「現在出力時の発熱量ＱＰ」と称す）を算出すると共に、各発電機の現在出力Ｐと現在出力時の発熱量ＱＰとから、各発電機の熱消費率（以下、「熱消費率Ｈ」と称す）を算出する（ステップＳ１２）。
【００３３】
続いて、ＣＯ２排出量計算部３１，３２，…，３ｎは、原単位データ記憶部１２から、各発電機の燃料種別毎のＣＯ２排出原単位の情報を取り込む（ステップＳ１３）。
【００３４】
続いてＣＯ２排出量計算部３１，３２，…，３ｎは、各発電機の燃料種別毎のＣＯ２排出原単位と、ステップＳ１２で算出した各発電機の熱消費率Ｈとを乗算することにより、各発電機から排出されるＣＯ２排出量を算出すると共に、発電機設備データ記憶部１１から、各発電機の最小出力・最大出力の情報を取り込み、各発電機の最小出力と現在出力Ｐとの差から下げ側余力を算出すると共に、各発電機の最大出力と現在出力Ｐとの差から上げ側余力を算出する（ステップＳ１４）。更に、各発電機のＣＯ２排出量の合計値や平均値を算出する。
【００３５】
最後に、ＣＯ２排出量出力制御部４０は、ステップＳ１４で算出された各発電機のＣＯ２排出量を含む各種の情報を、ＣＯ２排出量データ記憶部１４を通じて記憶媒体に記憶させると共に、需給運用監視画面生成部５０を通じて表示装置に表示させる（ステップＳ１５）。
【００３６】
このようなステップＳ１１乃至Ｓ１５の一連の処理は、一定の時間間隔で繰り返される。
【００３７】
次に、ＣＯ２排出量計算部３１，３２，…，３ｎが使用する具体的な計算式の例について説明する。
【００３８】
各発電機のＣＯ２排出量は、例えば、次の（１）式により求めることができる。
【００３９】
【数１】
2010211397.tif 000003
【００４０】
一般的に、各発電機における現在出力時の発熱量ＱＰは、現在出力Ｐの関数で与えられ、例えば、次の（２）式のような発熱量特性（若しくは、燃料費特性、使用水量特性）を示す２次式で表現される。
【００４１】
【数２】
2010211397.tif 000004
【００４２】
また、各発電機のＣＯ２排出量の合計値および平均値は、例えば、次の（３）式および（４）式により求めることができる。
【００４３】
【数３】
2010211397.tif 000005
【００４４】
【数４】
2010211397.tif 000006
【００４５】
次に、図４乃至図９を参照して、本実施形態の需給運用監視画面生成部５０が生成する各種の画面の例について説明する。
【００４６】
図４は、発電機毎に、発電機設備データおよび計算結果データを表形式で示す画面の一例を示す図である。
【００４７】
同図に示されるように、表の縦方向には、発電機のクラスや燃料の違いを示す「発電機名」として、「石炭−Ａ−１」，「石炭−Ａ−２」，「石炭−Ｂ−１」，「石炭−Ｂ−２」，「石油−１」，「石油−２」，…といった項目が用意され、さらに一番下側には、「合計」，「平均」といった項目が用意されている。一方、表の横方向には、電力系統１０から得られた「発電機出力」，発電機設備データ記憶部１１から得られた「最小出力」，「最大出力」，計算結果としての「下げ側余力」，「上げ側余力」，発電機設備データ記憶部１１から得られた「発熱量特性」の「係数ａ」，「係数ｂ」，「係数ｃ」，計算結果としての「発熱量」，「熱消費率」，原単位データ記憶部１２から得られた「ＣＯ２排出原単位」，計算結果としての「ＣＯ２排出量」が用意されており、各項目に対応するデータ欄に発電機毎のデータが表示される。
【００４８】
これにより、発電機毎のＣＯ２排出量やそれらの合計値や平均値が変化していく様子をリアルタイムに把握することができる。
【００４９】
なお、図４の画面に示される情報は、ＣＯ２排出量データ記憶部１４を通じて記憶媒体に記憶される。
【００５０】
図５は、図４中の個々の「発電機名」を横軸にとり、「発電機出力」を縦軸にとった棒グラフによる画面の一例を示す図である。
【００５１】
同図に示されるように、発電機毎の発電機出力が棒状に表示される。これにより、発電機毎の発電機出力の違いを視覚的に捉えやすくなり、また、それらが変化していく様子をリアルタイムに把握することができる。
【００５２】
図６は、図４中の個々の「発電機名」を横軸にとり、「ＣＯ２排出量」を縦軸にとった棒グラフによる画面の一例を示す図である。
【００５３】
同図に示されるように、発電機毎のＣＯ２排出量が棒状に表示される。これにより、発電機毎のＣＯ２排出量の違いを視覚的に捉えやすくなり、また、それらが変化していく様子をリアルタイムに把握することができる。
【００５４】
図７は、発電機の燃料種別毎に、発電機設備データおよび計算結果データを表形式で示す画面の一例を示す図である。
【００５５】
同図に示されるように、表の縦方向には、発電機の燃料の違いを示す「燃料種別」として、「石炭」，「石油」，「ＬＮＧ」，「水力」，「原子力」，「自然エネ」，「貯蔵」，…といった項目が用意され、さらに一番下側には、「合計」といった項目が用意されている。一方、表の横方向には、「発電機出力」，「最小出力」，「最大出力」，「下げ側余力」，「上げ側余力」，「ＣＯ２排出原単位」，「ＣＯ２排出量」が用意されており、各項目に対応するデータ欄に燃料種別毎（もしくは、ＣＯ２排出原単位毎）のデータが表示される。
【００５６】
これにより、燃料種別毎の発電機のＣＯ２排出量やそれらの合計値や平均値が変化していく様子をリアルタイムに把握することができる。
【００５７】
なお、図７の画面に示される情報は、ＣＯ２排出量データ記憶部１４を通じて記憶媒体に記憶される。
【００５８】
図８は、図７中の個々の「燃料種別」を横軸にとり、「発電機出力」を縦軸にとった棒グラフによる画面の一例を示す図である。
【００５９】
同図に示されるように、燃料種別毎の発電機出力が棒状に表示される。これにより、燃料種別毎の発電機出力の違いを視覚的に捉えやすくなり、また、それらが変化していく様子をリアルタイムに把握することができる。
【００６０】
図９は、図７中の個々の「燃料種別」を横軸にとり、「ＣＯ２排出量」を縦軸にとった棒グラフによる画面の一例を示す図である。
【００６１】
同図に示されるように、燃料種別毎のＣＯ２排出量が棒状に表示される。これにより、燃料種別毎のＣＯ２排出量の違いを視覚的に捉えやすくなり、また、それらが変化していく様子をリアルタイムに把握することができる。
【００６２】
このように、第１の実施形態によれば、各発電機の現在出力に応じたＣＯ２排出量をリアルタイムに把握することが可能となる。
【００６３】
（第２の実施形態）
次に、本発明の第２の実施形態について説明する。
【００６４】
前述の第１の実施形態では、リアルタイムに変動する発電機出力の情報を基に、ＣＯ２排出量を表示装置の画面に表示させる例を示したが、この第２の実施形態では、更に、現在から過去までの一定期間の発電機出力に応じたＣＯ２排出量の情報を表示装置の画面に表示させる。
【００６５】
すなわち、前述のＣＯ２排出量出力制御部４０は、更に、ＣＯ２排出量データ記憶部１４を通じて記憶媒体に記憶された過去の一定期間の各発電機のＣＯ２排出量を含む情報を、需給運用監視画面生成部５０を通じて表示装置に表示させる機能を有する。
【００６６】
具体的には、ＣＯ２排出量出力制御部４０は、ＣＯ２排出量計算部３１，３２，…，３ｎから一定時間毎にリアルタイムに算出される各発電機のＣＯ２排出量を含む情報を、順次、ＣＯ２排出量データ記憶部１４を通じて記憶媒体に記憶させる動作を繰り返すことから、記憶媒体には過去の各発電機のＣＯ２排出量の履歴が蓄積されている。これにより、例えば入力装置を通じて運用者が所定の指示を行うと、ＣＯ２排出量出力制御部４０は、記憶媒体に蓄積されている過去の一定期間の各発電機のＣＯ２排出量を含む情報を取り込み、需給運用監視画面生成部５０を通じて表示装置に表示させる。
【００６７】
次に、図１０および図１１を参照して、本実施形態の需給運用監視画面生成部５０が生成する各種の画面の例について説明する。
【００６８】
図１０は、発電機毎に、過去の一定期間のＣＯ２排出量を表形式で示す画面の一例を示す図である。
【００６９】
同図に示されるように、この画面例では、現在から２４時間前までの１時間毎のＣＯ２排出量を表示させている。なお、前述の図４の場合と同様に、発電機毎のＣＯ２排出量の合計値や平均値を更に表示させるようにしてもよし、また、過去２４時間分のＣＯ２排出量の積算値を更に表示させるようにしてもよい。また、前述の図７の場合と同様に、発電機毎ではなく燃料種別毎（もしくは、ＣＯ２排出原単位毎）にデータを表示させるようにしてもよい。また、過去の実績に基づくＣＯ２排出量を捉えるため、表示させる期間は、現在より過去であれば、運用者が自由に設定できるようにすることが望ましい。
【００７０】
これにより、発電機毎もしくは燃料種別毎の過去の一定期間のＣＯ２排出量やそれらの合計値、平均値の変化してきた様子を把握することができる。
【００７１】
図１１の（ａ）〜（ｇ）は、発電機毎に、図１０中の「時間」を横軸にとり、「ＣＯ２排出量」を縦軸にとった棒グラフによる画面の一例を示す図である。
【００７２】
同図に示されるように、１時間毎のＣＯ２排出量が棒状に表示される。これにより、ＣＯ２排出量が１時間毎に変化してきた様子を視覚的に捉えやすい。
【００７３】
このように、第２の実施形態によれば、各発電機の過去の出力に応じたＣＯ２排出量を把握することが可能となる。
【００７４】
（第３の実施形態）
次に、本発明の第３の実施形態について説明する。
【００７５】
前述の第２の実施形態では、現在から過去までの一定期間の発電機出力に応じたＣＯ２排出量の情報を表示装置の画面に表示させる例を示したが、この第３の実施形態では、更に、未来の発電機出力の変動量の予測値（スケジュールに示される発電機出力など）からＣＯ２排出量を算出し、それを表示装置の画面に表示させる。
【００７６】
すなわち、前述のＣＯ２排出量計算部３１，３２，…，３ｎは、更に、発電機運転スケジュールデータ記憶部１３により記憶媒体に記憶されている運転スケジュール上の時間的に変化する各発電機の出力値に基づき、未来の一定期間において各発電機から排出されるＣＯ２の排出量を算出する機能を有する。その場合の計算には、前述の第１の実施形態で説明した計算式を用いることができる。また、前述のＣＯ２排出量出力制御部４０は、更に、未来の一定期間において各発電機から排出されるＣＯ２の排出量を含む情報を、需給運用監視画面生成部５０を通じて表示装置に表示させる機能を有する。
【００７７】
次に、図１２および図１３を参照して、本実施形態の需給運用監視画面生成部５０が生成する各種の画面の例について説明する。
【００７８】
図１２は、発電機毎に、未来の一定期間のＣＯ２排出量を表形式で示す画面の一例を示す図である。
【００７９】
同図に示されるように、この画面例では、現在から２４時間後までの１時間毎のＣＯ２排出量を表示させている。なお、前述の図４の場合と同様に、発電機毎のＣＯ２排出量の合計値や平均値を更に表示させるようにしてもよし、また、未来の２４時間分のＣＯ２排出量の積算値を更に表示させるようにしてもよい。また、前述の図７の場合と同様に、発電機毎ではなく燃料種別毎（もしくは、ＣＯ２排出原単位毎）にデータを表示させるようにしてもよい。また、未来のＣＯ２排出量を捉えるため、表示させる期間は、現在より未来であれば、運用者が自由に設定できるようにすることが望ましい。
【００８０】
これにより、発電機毎もしくは燃料種別毎の未来の一定期間のＣＯ２排出量やそれらの合計値、平均値の変化する様子を把握することができる。
【００８１】
図１３の（ａ）〜（ｇ）は、発電機毎に、図１２中の「時間」を横軸にとり、「ＣＯ２排出量」を縦軸にとった棒グラフによる画面の一例を示す図である。
【００８２】
同図に示されるように、１時間毎のＣＯ２排出量が棒状に表示される。これにより、ＣＯ２排出量が１時間毎に変化する様子を視覚的に捉えやすい。
【００８３】
このように、第３の実施形態によれば、各発電機の未来の出力に応じたＣＯ２排出量を把握することが可能となる。
【００８４】
（第４の実施形態）
次に、本発明の第４の実施形態について説明する。
【００８５】
前述の第１乃至第３の実施形態では、ＣＯ２排出原単位と熱消費率Ｈとを乗算することによりＣＯ２排出量を算出する例を示したが、この第４の実施形態では、更に、当該計算においてＣＯ２排出原単位の値を可変とすることで、同じ燃料種別において、個々の発電機特性に応じた原単位データを形成する。具体的には、各ＣＯ２排出原単位に重み係数を与えることにより、個々の発電機特性に応じた原単位データを形成する。例えば、発電機の稼動期間が長い（古い）発電機は重み係数を大きくしたり、また、日間においてＣＯ２排出量が少なくなる時間帯は重み係数を小さくしたりするようにする。
【００８６】
すなわち、前述のＣＯ２排出量計算部３１，３２，…，３ｎに備えられる第３の算出機能は、原単位データ記憶部１２に記憶されている各発電機のＣＯ２排出原単位に対し、重み係数を乗じた上で、各発電機の熱消費率Ｈとの乗算を行うことにより、各発電機から排出されるＣＯ２排出量を算出する機能を有する。
【００８７】
この場合、前述の（１）式で示したＣＯ２排出量の算出式は、次の（５）式にように重み係数を含む形となる。
【００８８】
【数５】
2010211397.tif 000007
【００８９】
次に、図１４および図１７を参照して、本実施形態の需給運用監視画面生成部５０が生成する各種の画面の例について説明する。
【００９０】
図１４は、発電機毎に、重み係数のデータを含む発電機設備データおよび計算結果データを表形式で示す画面の一例を示す図である。
【００９１】
同図の表においては、前述の図４の表に示される各種の項目に加え、更に、表の横方向に「重み係数」という項目が追加されており、その項目に対応するデータ欄に発電機毎の重み係数が表示される。例えば、発電機の稼動期間が長い（古い）発電機は重み係数を大きくしている。
【００９２】
これにより、発電機毎に設定されている重み係数を把握することができ、かつ、発電機毎に重み係数により調整された精度の良いＣＯ２排出量やそれらの合計値や平均値が変化していく様子を把握することができる。
【００９３】
図１５は、図１４中の個々の「発電機名」を横軸にとり、「ＣＯ２排出量」を縦軸にとった棒グラフによる画面の一例を示す図である。
【００９４】
同図に示されるように、発電機毎に重み係数により調整されたＣＯ２排出量が棒状に表示される。これにより、発電機毎のＣＯ２排出量の違いを正確に捉えることができる。
【００９５】
このほか、図１４中の個々の「発電機名」を横軸にとり、「発電機出力」を縦軸にとった棒グラフによる画面を表示することもできる。その場合、前述の図５に示した画面と同様となる。
【００９６】
図１６は、発電機毎に、重み係数のデータと共に過去の一定期間のＣＯ２排出量を表形式で示す画面の一例を示す図である。
【００９７】
同図の表においては、前述の図１０の表に示される各種の項目に加え、更に、表の縦方向に「重み係数」という項目が追加されており、その項目に対応するデータ欄に時間毎の重み係数が表示される。例えば、日間においてＣＯ２排出量が少なくなる時間帯は重み係数を小さくしている。
【００９８】
なお、この場合も、発電機毎のＣＯ２排出量の合計値や平均値を更に表示させるようにしてもよし、また、過去２４時間分のＣＯ２排出量の積算値を更に表示させるようにしてもよい。また、前述の図７の場合と同様に、発電機毎ではなく燃料種別毎（もしくは、ＣＯ２排出原単位毎）にデータを表示させるようにしてもよい。また、過去の実績に基づくＣＯ２排出量を捉えるため、表示させる期間は、現在より過去であれば、運用者が自由に設定できるようにすることが望ましい。
【００９９】
これにより、時間毎に設定されている重み係数を把握することができ、かつ、時間毎に重み係数により調整された精度の良い過去の一定期間のＣＯ２排出量やそれらの合計値、平均値の変化してきた様子を把握することができる。
【０１００】
図１７の（ａ）〜（ｇ）は、発電機毎に、図１６中の「時間」を横軸にとり、「ＣＯ２排出量」を縦軸にとった棒グラフによる画面の一例を示す図である。
【０１０１】
同図に示されるように、重み係数により調整された１時間毎のＣＯ２排出量が棒状に表示される。これにより、ＣＯ２排出量が１時間毎に変化してきた様子を正確に捉えることができる。
【０１０２】
このほか、発電機毎に、重み係数のデータと共に未来の一定期間のＣＯ２排出量を表形式で示す画面を表示させてもよい。この場合、前述の図１２の表に示される各種の項目に加え、更に、表の横方向に「重み係数」という項目を追加し、その項目に対応するデータ欄に時間毎の重み係数を表示させる。また、発電機毎に、「時間」を横軸にとり、「ＣＯ２排出量」を縦軸にとった棒グラフによる画面を表示させてもよい。
【０１０３】
このように、第４の実施形態によれば、各発電機の特性に応じて重み係数により調整された正確なＣＯ２排出量を把握することが可能となる。
【０１０４】
なお、各実施形態では、監視の対象となるガスが二酸化炭素（ＣＯ２）である場合を例にとって説明したが、本発明はこれに限定されるものではなく、他のガスを適用することが可能である。例えば、環境にダメージを与えるガス（地球温暖化もしくは環境汚染を促進させるガス）の例として、二酸化炭素（ＣＯ２）のほかに、６フッ化硫黄（ＳＦ６）、メタンガス（ＣＨ４）などが挙げられる。
【０１０５】
また、各実施形態で述べた本発明に係る各種の処理手順は、コンピュータプログラムとして、コンピュータ（情報処理装置）により読み取り可能な記憶媒体（例えば磁気ディスク，光ディスク，半導体メモリ）に記憶させておき、必要に応じてそれをプロセッサにより読み出して実行するようにしてもよい。また、このようなコンピュータプログラムは、通信媒体を介してあるコンピュータから他のコンピュータに伝送することにより配布することも可能である。
【０１０６】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０７】
１，２，５，ｎ１…発電機、１０…電力系統、１１…発電機設備データ記憶部、１２…原単位データ記憶部、１３…発電機運転スケジュールデータ記憶部、１４…ＣＯ２排出量データ記憶部、２１，２２，２５，２ｎ…発電機出力入力部、３１，３２，３５，３ｎ…ＣＯ２排出量計算部、４０…ＣＯ２排出量出力制御部、５０…需給運用監視画面生成部、１００…情報処理装置、１００ａ…ＭＭＩ。
【図１】
2010211397.tif 000008
【図２】
2010211397.tif 000009
【図３】
2010211397.tif 000010
【図４】
2010211397.tif 000011
【図５】
2010211397.tif 000012
【図６】
2010211397.tif 000013
【図７】
2010211397.tif 000014
【図８】
2010211397.tif 000015
【図９】
2010211397.tif 000016
【図１０】
2010211397.tif 000017
【図１１】
2010211397.tif 000018
【図１２】
2010211397.tif 000019
【図１３】
2010211397.tif 000020
【図１４】
2010211397.tif 000021
【図１５】
2010211397.tif 000022
【図１６】
2010211397.tif 000023
【図１７】
2010211397.tif 000024